(57)【要約】【課題】ユーザを撮影した撮影画像をモザイク画像作成のための素材画像として取得し、ユーザがモザイク画像を容易に閲覧できるようにし、かつイベントの記念品を速やかにユーザに提供できる印画物作製装置、システム及び方法を提供する。【解決手段】印画物作製装置１は、被撮影者を撮影し、撮影画像を生成する撮影部１２０と、前景画像又は背景画像を格納した記憶部１１３と、前記撮影画像と前記前景画像又は背景画像とを合成して合成画像を作成する画像処理部と、前記合成画像のデータをモザイク画像生成装置２へ送信する通信部１６０と、前記合成画像が含まれるモザイク画像を提示するサーバのアドレスを示すアドレス情報と前記合成画像とを印画物にプリントして出力するプリンタ１４０と、を備える。【選択図】図１
2016052036.tif 000002
【特許請求の範囲】
【請求項１】
被撮影者を撮影し、撮影画像を生成する撮影部と、
前景画像又は背景画像を格納した記憶部と、
前記撮影画像と前記前景画像又は背景画像とを合成して合成画像を作成する画像処理部と、
前記合成画像のデータをモザイク画像生成装置へ送信する通信部と、
前記合成画像が含まれるモザイク画像を提示するサーバのアドレスを示すアドレス情報と前記合成画像とを印画物にプリントして出力するプリンタと、
を備える印画物作製装置。
【請求項２】
前記画像処理部は前記合成画像に対する識別番号を生成し、
前記プリンタは識別番号情報を前記印画物にプリントし、
前記通信部は前記合成画像とともに識別番号情報を前記モザイク画像生成装置へ送信することを特徴とする請求項１に記載の印画物作製装置。
【請求項３】
前記プリンタは、前記アドレス情報を携帯端末で読み取り可能な形式で前記印画物にプリントすることを特徴とする請求項１又は２に記載の印画物作製装置。
【請求項４】
前記記憶部は前記前景画像又は背景画像を複数格納し、
前記画像処理部は、前記撮影画像と、利用者に選択された前記前景画像又は背景画像とを合成して合成画像を作成することを特徴とする請求項１乃至３のいずれかに記載の印画物作製装置。
【請求項５】
前記通信部を介して前記モザイク画像生成装置から受け取った指示に基づいて、利用者が選択可能な前記前景画像又は背景画像を変更することを特徴とする請求項４に記載の印画物作製装置。
【請求項６】
前記モザイク画像のモチーフ画像を表示する表示部と、
前記モチーフ画像を分割した複数の領域のうち、いずれか１つの選択を受け付ける受付部と、
をさらに備え、
前記通信部は、選択された領域を前記モザイク画像生成装置に通知することを特徴とする請求項１乃至５のいずれかに記載の印画物作製装置。
【請求項７】
前記通信部は携帯端末からモザイク画像データを受信し、
前記プリンタはモザイク画像を印画物にプリントして出力することを特徴とする請求項１乃至６のいずれかに記載の印画物作製装置。
【請求項８】
前記通信部は前記モザイク画像生成装置からモザイク画像データを受信し、
前記プリンタはモザイク画像を印画物にプリントして出力することを特徴とする請求項１乃至６のいずれかに記載の印画物作製装置。
【請求項９】
請求項１乃至８のいずれかに記載の印画物作製装置と、
前記印画物作製装置から送信された前記合成画像を用いてモザイク画像を生成するモザイク画像生成装置と、
を備える印画物作製システム。
【請求項１０】
印画物作製装置が、被撮影者を撮影して撮影画像を生成し、前記撮影画像と前景画像又は背景画像とを合成して合成画像を作成し、前記合成画像が含まれるモザイク画像を提示するサーバのアドレスを示すアドレス情報と前記合成画像とを印画物にプリントして出力し、
モザイク画像生成装置が、前記印画物作製装置から前記合成画像を取得し、前記合成画像を用いてモザイク画像を生成し、
携帯端末が前記アドレス情報に基づいて前記サーバにアクセスし、前記モザイク画像を表示画面に表示することを特徴とする印画物作製方法。
【発明の詳細な説明】
【技術分野】
【０００１】
本発明は、利用者を撮影し、撮影画像を印画した印画物を作製するとともに、モザイク画像用の素材画像を取得する印画物作製装置、システム及び方法に関する。
【背景技術】
【０００２】
複数の小さな画像（写真等の素材画像）をマトリクス状に並べて１つの大きな人物や風景等のモザイク画像を生成するフォトモザイクが知られている。このフォトモザイクは、企業の広告活動やイベントの告知等に利用され、複数のユーザが提供した素材画像を用いてモザイク画像を生成し、ポスターを作成したり、ディスプレイやプロジェクタで表示したりしている。例えば、サーバ装置が、ユーザから提供される素材画像をユーザ端末からネットワークを介して取得し、取得した素材画像を用いて生成したモザイク画像をユーザ端末に表示させる技術が知られている（例えば特許文献１参照）。
【０００３】
アーティストのライブの観覧やスポーツ観戦などのために会場を訪れた観客に対し、観客の写真を用いて、イベントの記念となるモザイク画像を作成するサービスの提供が望まれている。上述の技術を用いてこのようなサービスを提供する場合、観客は、携帯端末のカメラで自分自身を撮影し、撮影画像（素材画像）をサーバ装置へ送信する。
【０００４】
しかし、携帯端末のカメラで自分自身を撮影する、いわゆる自分撮りを行う場合、手ブレの発生等により撮影に失敗することが多かった。また、携帯端末に撮影画像の送信先を入力するのに手間がかかっていた。
【０００５】
また、サーバ装置は、観客の携帯端末から、背景画像の色や画像サイズなどが異なる様々な画像を取得するため、このような画像を素材画像としてモザイク画像を生成するのは容易でなかった。
【０００６】
また、モザイク画像を作成するには多数の素材画像が必要であり、所定数の素材画像が集まるまでは完成せず、観客はモザイク画像を閲覧できなかった。そのため、イベントの記念となる物がすぐには入手できず、観客の満足感を得ることが困難であった。
【先行技術文献】
【特許文献】
【０００７】
【特許文献１】国際公開第２０１１／０７８３７７号
【発明の概要】
【発明が解決しようとする課題】
【０００８】
本発明は、上記従来の実状に鑑みてなされたものであり、ユーザを撮影した撮影画像をモザイク画像作成のための素材画像として取得し、ユーザがモザイク画像を容易に閲覧できるようにし、かつイベントの記念品を速やかにユーザに提供できる印画物作製装置、システム及び方法を提供することを課題とする。
【課題を解決するための手段】
【０００９】
本発明の一態様による印画物作製装置は、被撮影者を撮影し、撮影画像を生成する撮影部と、前景画像又は背景画像を格納した記憶部と、前記撮影画像と前記前景画像又は背景画像とを合成して合成画像を作成する画像処理部と、前記合成画像のデータをモザイク画像生成装置へ送信する通信部と、前記合成画像が含まれるモザイク画像を提示するサーバのアドレスを示すアドレス情報と前記合成画像とを印画物にプリントして出力するプリンタと、を備えるものである。
【００１０】
本発明の一態様による印画物作製装置において、前記画像処理部は前記合成画像に対する識別番号を生成し、前記プリンタは識別番号情報を前記印画物にプリントし、前記通信部は前記合成画像とともに識別番号情報を前記モザイク画像生成装置へ送信することが好ましい。
【００１１】
本発明の一態様による印画物作製装置において、前記プリンタは、前記アドレス情報を携帯端末で読み取り可能な形式で前記印画物にプリントすることが好ましい。
【００１２】
本発明の一態様による印画物作製装置において、前記記憶部は前記前景画像又は背景画像を複数格納し、前記画像処理部は、前記撮影画像と、利用者に選択された前記前景画像又は背景画像とを合成して合成画像を作成することが好ましい。
【００１３】
本発明の一態様による印画物作製装置において、前記通信部を介して前記モザイク画像生成装置から受け取った指示に基づいて、利用者が選択可能な前記前景画像又は背景画像を変更してもよい。
【００１４】
本発明の一態様による印画物作製装置において、前記モザイク画像のモチーフ画像を表示する表示部と、前記モチーフ画像を分割した複数の領域のうち、いずれか１つの選択を受け付ける受付部と、をさらに備え、前記通信部は、選択された領域を前記モザイク画像生成装置に通知してもよい。
【００１５】
本発明の一態様による印画物作製装置において、前記通信部は携帯端末からモザイク画像データを受信し、前記プリンタはモザイク画像を印画物にプリントして出力してもよい。
【００１６】
本発明の一態様による印画物作製装置において、前記通信部は前記モザイク画像生成装置からモザイク画像データを受信し、前記プリンタはモザイク画像を印画物にプリントして出力してもよい。
【００１７】
本発明の一態様による印画物作製システムは、上記印画物作製装置と、印画物作製装置から送信された前記合成画像を用いてモザイク画像を生成するモザイク画像生成装置と、を備えるものである。
【００１８】
本発明の一態様による印画物作製方法は、印画物作製装置が、被撮影者を撮影して撮影画像を生成し、前記撮影画像と前景画像又は背景画像とを合成して合成画像を作成し、前記合成画像が含まれるモザイク画像を提示するサーバのアドレスを示すアドレス情報と前記合成画像とを印画物にプリントして出力し、モザイク画像生成装置が、前記印画物作製装置から前記合成画像を取得し、前記合成画像を用いてモザイク画像を生成し、携帯端末が前記アドレス情報に基づいて前記サーバにアクセスし、前記モザイク画像を表示画面に表示するものである。
【発明の効果】
【００１９】
本発明によれば、ユーザを撮影した撮影画像をモザイク画像作成のための素材画像として取得し、ユーザがモザイク画像を容易に閲覧できるようにし、かつイベントの記念品を速やかにユーザに提供できる。
【図面の簡単な説明】
【００２０】
【図１】本発明の実施形態に係る印画物作製システムの構成例を示す図である。
【図２】同実施形態に係る印画物の例を示す図である。
【図３】モザイク画像の例を示す図である。
【図４】同実施形態に係る印画物作製装置の概略構成図である。
【図５】同実施形態に係る演算制御装置のハードウェア構成図である。
【図６】同実施形態に係る印画物作製方法を説明するシーケンス図である。
【図７】素材画像配置領域の指示受付の一例を示す図である。
【発明を実施するための形態】
【００２１】
以下、本発明の実施の形態を図面に基づいて説明する。
【００２２】
図１は実施形態に係る印画物作製システムの構成図である。図１に示すように、印画物作製システムは、印画物作製装置１と、モザイク画像生成装置２とを備える。印画物作製装置１とモザイク画像生成装置２とはインターネット等のネットワークを介して通信可能に接続されている。印画物作製装置１は、例えば、アーティストのライブ会場や、スポーツの試合会場に設けられ、会場を訪れた観客に利用される。印画物作製装置１は会場に複数設けられていてもよい。
【００２３】
印画物作製装置１は、利用者を撮影し、その会場で行われているイベントに関連するテンプレート画像と撮影画像とを合成した合成画像を印画物（例えば印画紙）にプリントして出力する。図２に、プリント出力される印画物１０の一例を示す。図２に示すように、テンプレート画像に利用者を撮影した撮影画像１２を合成した画像がプリントされる。また、印画物作製装置１は、合成画像データをモザイク画像生成装置２へ送信する。
【００２４】
モザイク画像生成装置２は、印画物作製装置１から受信した合成画像を素材画像として利用して、モザイク画像を生成する。例えば、モザイク画像生成装置２は、モチーフ画像（元絵）を複数の微小なブロックに分割し、素材画像をいずれかのブロックに配置し、モチーフを再現するようにモザイク画像を生成する。素材画像の配置位置は、モチーフ画像を分割したブロックにおける画像の色味や輪郭に基づいて決定される。モチーフ画像の再現性を高めるために、配置される素材画像に色調補正を施してもよい。
【００２５】
モチーフ画像は、イベントに関連したものであることが好ましい。例えば、アーティストやスポーツ選手の画像をモチーフにする。
【００２６】
モザイク画像の生成には、多数（例えば２５００枚）の素材画像が必要である。印画物作製装置１から受信した合成画像の数が必要数に満たない場合は、同じ合成画像を複数箇所に配置してもよい。あるいはまた、カメラマンがイベントの様子を撮影し、その撮影画像を素材画像として利用してもよい。
【００２７】
モザイク画像生成装置２は、生成したモザイク画像を提示するサーバを有する。利用者は、携帯端末３等を使用してこのサーバにアクセスすることで、自身の画像が含まれるモザイク画像を閲覧することができる。図３にモザイク画像２０の一例を示す。モザイク画像の閲覧は、スマートフォンやタブレット機器等の携帯端末だけでなく、パーソナルコンピュータを用いることもできる。
【００２８】
図２に示すように、印画物１０にはモザイク画像提供サーバのアドレスを示す二次元コード等のコード情報１１がプリントされており、利用者は、携帯端末３を用いてコード情報１１を読み取ることで、サーバに容易にアクセスし、携帯端末３の画面にてモザイク画像を閲覧することができる。モザイク画像は、適宜、拡大・縮小して表示することができる。
【００２９】
コード情報１１は、利用者の識別情報を含むものであってもよい。利用者が携帯端末３を用いてコード情報１１を読み取り、サーバにアクセスした際に、サーバ側は識別情報に基づいて、この利用者の画像がモザイク画像内のどこに配置されたかを表示することができる。
【００３０】
携帯端末３は、モザイク画像の画像データをサーバから取得（ダウンロード）することができる。利用者は、携帯端末３に保持されたモザイク画像データを印画物作製装置１へ転送し、モザイク画像をプリント出力することができる。モザイク画像をプリント出力する印画物作製装置１は、利用者が撮影を行った印画物作製装置１に限定されず、他の場所に設置された印画物作製装置１であってもよい。
【００３１】
図４は、印画物作製装置１の概略構成を示す。印画物作製装置１は、被撮影者（利用者）Ｐを撮影し、撮影画像データを生成する撮影装置１２０と、この撮影画像データに対して画像処理を施す演算制御装置１１０と、印画物（写真）をプリントするプリンタ１４０と、撮影装置１２０が被撮影者Ｐを撮影する際に被撮影者Ｐに光を照射するストロボ１５０と、モザイク画像生成装置２や携帯端末３との通信を行う通信部１６０とを備える。また、印画物作製装置１は、被撮影者Ｐから各種指示を受け付けると共に、プレビュー画像を表示するタッチパネル１３０を備えている。さらに、印画物作製装置１には、被撮影者Ｐが印画物の代金として支払う貨幣を受け入れたり、釣銭を払い出したりする課金部（図示せず）が設けられている。
【００３２】
この印画物作製装置１は、人物画像とテンプレート画像（背景画像）を合成した合成画像を印画物にプリントして出力する。また、印画物作製装置１における被撮影者Ｐの背中側の壁紙は、クロマキー合成に適した色、例えば青色や黄緑色になっている。
【００３３】
撮影装置１２０は、例えばデジタルカメラであり、レンズ、シャッタ、ＣＭＯＳセンサ、Ａ／Ｄ変換器等を有する。撮影装置１２０が被撮影者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置１２０は、撮影画像データを演算制御装置１１０へ出力する。
【００３４】
タッチパネル１３０は、操作ボタンを表示し、操作ボタンが押されると、その操作ボタンに対応した操作指示を受け付ける。また、タッチパネル１３０は、少なくとも１つのテンプレート画像を表示するとともに、被撮影者Ｐからテンプレート画像の選択指示を受け付ける。
【００３５】
演算制御装置１１０は、撮影装置１２０、タッチパネル１３０、プリンタ１４０、ストロボ１５０、通信部１６０、及び課金部に接続されており、各部の制御やデータの受け渡しを行う。
【００３６】
図５に、演算制御装置１１０のハードウェア構成を示す。演算制御装置１１０は、ＣＰＵ（中央演算処理部）１１１、メインメモリ１１２、ディスク装置１１３、及び入出力部１１４を有する。演算制御装置１１０の各部はバス１１６を介して接続されている。
【００３７】
ディスク装置１１３は、ＣＰＵ１１１により実行される画像処理プログラム１１７及びテンプレート画像のデータベース１１８を格納する。データベース１１８には、色やデザインの異なる複数のテンプレート画像データが記録されている。
【００３８】
ディスク装置１１３は例えばハードディスクドライブである。なお、画像処理プログラム１１７は、ディスク装置１１３でなく、ＲＯＭや磁気テープ（共に図示せず）に格納されていてもよい。
【００３９】
ＣＰＵ１１１は、ディスク装置１１３内の画像処理プログラム１１７をメインメモリ１１２にロードして、画像処理プログラム１１７を実行する。画像処理プログラム１１７の実行に伴い、メインメモリ１１２上には、撮影画像データ、人物画像データ、テンプレート画像データ、及び合成画像データを格納する領域が確保される。
【００４０】
ＣＰＵ１１１が画像処理プログラム１１７を実行することで画像処理部が実現される。画像処理部は、複数のテンプレート画像についてのデータをディスク装置１１３のデータベース１１８から取り出し、タッチパネル１３０へ出力する。画像処理部は、タッチパネル１３０を介して、被撮影者Ｐからテンプレート画像の選択指示を受け付ける。
【００４１】
画像処理部は、撮影装置１２０から撮影画像データを受け取ると、クロマキー処理を行い、撮影画像から人物画像を切り抜き、人物画像とテンプレート画像とを合成して合成画像を作成する。また、画像処理部は、この被撮影者Ｐによる撮影画像に対する識別番号を生成し、上述したモザイク画像を閲覧するためのウェブアドレス（ＵＲＬ）と識別番号とを含む二次元コードを作成し、合成画像に挿入する。
【００４２】
識別番号は、被撮影者Ｐの撮影画像を一意に特定できるものであればよく、例えば、印画物作製装置１の号機ＩＤと撮影日時とを組み合わせたものとすることができる。二次元コードとは別に識別番号を印字してもよい。
【００４３】
画像処理部は、合成画像をタッチパネル１３０でのプレビュー表示に対応したサイズに縮小し、プレビュー用画像を生成する。被撮影者Ｐは、プリント出力の前に、タッチパネル１３０で合成画像を確認することができる。
【００４４】
画像処理部は、タッチパネル１３０を介してユーザからプリント開始指示を受け付けると、二次元コードが挿入された合成画像を、プリンタ１４０でプリントする写真サイズに対応したサイズに縮小し、プリント用画像を生成する。そして、入出力部１１４を介して、プリント用画像のデータが演算制御装置１１０からプリンタ１４０へ出力される。
【００４５】
プリンタ１４０は、演算制御装置１１０から受け取ったプリント用画像を用紙に印画して出力する。プリンタ１４０のプリント方式は特に限定されず、インクジェット方式、昇華型熱転写方式、溶融型熱転写方式等を用いることができる。
【００４６】
通信部１６０は、画像処理部により作成された合成画像を、識別番号とともに、モザイク画像生成装置２へ送信する。
【００４７】
また、通信部１６０は、携帯端末３からモザイク画像データを受信する。画像処理部は、通信部１６０が受信したモザイク画像データを、プリンタ１４０でのプリントサイズに変換し、入出力部１１４を介してプリンタ１４０へ出力する。プリンタ１４０は、モザイク画像を用紙に印画して出力する。
【００４８】
モザイク画像生成装置２は、印画物作製装置１から受信した合成画像と識別番号とを対応付けて記憶する記憶部を有する。また、この記憶部は、各合成画像（素材画像）について、識別番号と、モザイク画像内での配置場所とを対応付けて記憶する。そのため、携帯端末３から識別番号を通知された際、この識別番号に対応する合成画像（素材画像）の配置場所を携帯端末３に通知することができる。
【００４９】
次に、本実施形態による印画物作製方法を図６に示すシーケンス図を用いて説明する。
【００５０】
［ステップＳ１０１］アーティストのライブ会場やスポーツの試合会場等を訪れた観客（利用者）が、印画物作製装置１のタッチパネル１３０を操作して、処理を開始する。タッチパネル１３０が、イベントに関連した複数のテンプレートを表示する。利用者は、タッチパネル１３０を用いて所望のテンプレートを選択する。
【００５１】
［ステップＳ１０２］撮影装置１２０が、利用者を撮影し、撮影画像データを生成する。撮影装置１２０が撮影を行う際に、ストロボ１５０が利用者に光を照射する。なお、撮影処理の前に利用者が所定金額を支払う入金処理が行われてもよい。
【００５２】
［ステップＳ１０３］画像処理部が、クロマキー処理を行い、撮影画像から人物画像を切り抜き、切り抜いた人物画像と、ステップＳ１０１で選択されたテンプレート画像とを合成して合成画像を作成する。
【００５３】
［ステップＳ１０４］画像処理部が、合成画像を縮小してプレビュー用画像を生成する。タッチパネル１３０が、プレビュー用画像を表示する。利用者は、タッチパネル１３０に表示された画像を承諾する場合、タッチパネル１３０上の決定ボタン（プリント開始指示ボタン）を押す。
【００５４】
利用者が再撮影を希望する場合、タッチパネル１３０上の再撮影ボタンを押し、ステップＳ１０２に戻るようにしてもよい。
【００５５】
［ステップＳ１０５］画像処理部が、この撮影画像に対する識別番号を生成し、モザイク画像を閲覧するためのウェブアドレス（ＵＲＬ）と識別番号とを含む二次元コードを作成する。画像処理部は、二次元コードを合成画像に挿入して、プリント用画像データを作成する。そして、プリンタ１４０が、演算制御装置１１０からプリント用画像データを受け取り、用紙に印画して、印画物１０（図２参照）を出力する。
【００５６】
［ステップＳ１０６］通信部１６０が、合成画像データをモザイク画像生成装置２へ送信する。
【００５７】
［ステップＳ１０７］モザイク画像生成装置２が、ステップＳ１０６で受信した合成画像を用いてモザイク画像を作成する。モザイク画像の生成には、（複数の）印画物作製装置１から受信した複数の合成画像が用いられる。
【００５８】
［ステップＳ１０８］利用者が、印画物１０にプリントされたコード情報１１を携帯端末３で読み取り、モザイク画像が提示されるウェブアドレスを取得し、モザイク画像を閲覧する。
【００５９】
［ステップＳ１０９］利用者が、携帯端末３を用いてモザイク画像データを取得（ダウンロード）する。
【００６０】
［ステップＳ１１０］利用者が、携帯端末３からモザイク画像データを印画物作製装置１へ転送し、所定の料金を支払い、プリント指示を行う。通信部１６０が、携帯端末３からモザイク画像データを受信する。
【００６１】
［ステップＳ１１１］画像処理部がモザイク画像データを所定サイズに変換し、プリンタ１４０がモザイク画像を用紙に印画して出力する。
【００６２】
このように、会場を訪れた観客は、イベントに関連したテンプレート画像と、撮影した自身の画像とが合成された合成画像をプリントした印画物１０を、その場で入手することができる。また、撮影は、印画物作製装置１の撮影装置１２０で行われ、タッチパネル１３０にてプレビュー画像を確認できるため、写り具合のよいものとなる。
【００６３】
また、印画物１０にはモザイク画像を閲覧するためのウェブアドレスの情報を含むコード情報１１がプリントされており、これを携帯端末３で読み取ることで、容易にモザイク画像を閲覧することができる。
【００６４】
また、モザイク画像作成装置２は、印画物作製装置１から受信した合成画像を素材画像とするため、画像サイズ等が異なる様々な画像を用いる場合と比較して、モザイク画像を容易に生成することができる。
【００６５】
このように、本実施形態によれば、利用者を撮影した撮影画像をモザイク画像作成のための素材画像として取得し、利用者がモザイク画像を容易に閲覧できるようにし、かつイベントの記念品となる印画物１０を速やかにユーザに提供できる。
【００６６】
上記実施形態において、印画物作製装置１で利用者が選択可能なテンプレート画像は、モザイク画像の生成に必要な色味のものであってもよい。例えば、モザイク画像の元絵のモチーフ画像が主に赤、青、黄、黒からなる場合、赤、青、黄、黒に近い色味のテンプレート画像が選択候補となる。
【００６７】
モザイク画像生成装置２は、印画物作製装置１から受信した合成画像の数を、そのテンプレート画像の色別に集計し、特定の色のテンプレート画像を含む合成画像の数が、モザイク画像の生成に必要な数に到達した場合は、この色のテンプレート画像を選択候補から外すように印画物作製装置１に指示してもよい。
【００６８】
上記実施形態では、画像処理部が作成した合成画像が印画紙にプリントされて出力されるとともに、この合成画像がモザイク画像生成の素材画像として利用される。すなわち、印画物としてプリント出力される画像と、素材画像とは同じ色味である。しかし、これらは異なる色味であってもよい。
【００６９】
例えば、印画物としてプリント出力される画像のデザイン及び色味は利用者が選択し、素材画像として使用される時の色味はシステム側で決定してもよい。この場合、印画物作製装置１は、利用者が選択したものでなく、装置側で決定したテンプレート画像と、人物画像とを合成した合成画像を画像生成装置２へ送信してもよい。
【００７０】
また、印画物作製装置１は、合成画像でなく、クロマキー処理で切り抜いた人物画像をモザイク画像生成装置２へ送信してもよい。モザイク画像生成装置２は、受信した人物画像に適当な背景画像を合成したり、色調変換を施したりし、素材画像としてモザイク画像の生成に使用する。
【００７１】
あるいはまた、利用者が、印画物としてプリント出力するテンプレート画像のデザイン及び色味を選択するとともに、モザイク画像における自身の撮影画像の配置位置を指定できるようにしてもよい。素材画像として使用される時の色味は、指定した配置位置で決まる。この場合、モザイク画像生成装置２は、モチーフ画像を色に基づいて複数の領域に分割し、モチーフ画像及び領域分割情報を印画物作製装置１へ送信する。印画物作製装置１は、図７に示すように、複数の領域Ｒ１、Ｒ２、・・・に分割したモチーフ画像７０をタッチパネル１３０に表示し、領域の選択指示を受け付ける。撮影後、印画物作製装置１は、利用者に選択された領域と、撮影画像又は人物画像とをモザイク画像生成装置２へ送信する。
【００７２】
モザイク画像生成装置２は、選択された領域に基づいて画像の色変換を行い、素材画像としてモザイク画像の生成に使用する。また、領域毎に配置可能な素材画像の数は決まっているため、利用者からの選択数が上限値に達した場合、この領域を選択候補から外すように印画物作製装置１に指示してもよい。
【００７３】
イベント中の名場面をモチーフ画像としてもよい。モチーフ画像はイベント終了後に決定する。この場合、印画物作製装置１で印画物１０をプリント出力した利用者は、コード情報１１で示されたウェブサイトにアクセスし、モチーフ画像を分割した複数の領域から、自身の撮影画像を配置したい領域を指定できるようにしてもよい。ウェブサイトにアクセスした際、利用者の撮影画像の識別番号も入力され、モザイク画像生成装置２は、この識別番号から利用者の撮影画像を特定し、配置領域に基づいて色変換し、素材画像として利用する。
【００７４】
配置領域の指定はイベント終了後から所定時間以内とし、所定時間経過後は、システム側で撮影画像（素材画像）の配置場所を決定する。
【００７５】
モチーフ画像は複数あり、複数のモザイク画像が作成されてもよい。利用者は、自身の撮影画像が素材画像として使用されるモザイク画像のモチーフ画像を選択できるようにしてもよい。
【００７６】
上記実施形態では、クロマキー処理により撮影画像から人物画像を切り抜く例について説明したが、テンプレート画像に画像挿入領域が設けられ、撮影装置１２０による撮影画像がこの画像挿入領域に挿入されるものであってもよい。データベース１１８には前景画像又は背景画像が格納され、撮影装置１２０による撮影画像と、前景画像又は背景画像とが合成された合成画像が印画紙に印画され、印画物１０が作製される。
【００７７】
モザイク画像が生成されると、モザイク画像生成装置２から携帯端末３へモザイク画像生成の完了を通知するようにしてもよい。例えば、利用者が自身のメールアドレスなどを事前に登録し、このメールアドレス宛にモザイク画像生成装置２からモザイク画像生成の完了を通知する。あるいはまた、携帯端末３に所定のアプリケーションソフトウェアをインストールしておき、このソフトウェアのメッセージ機能を利用して、モザイク画像生成装置２から携帯端末３へモザイク画像生成の完了を通知してもよい。これにより、利用者は、生成されたモザイク画像を速やかに閲覧することができる。
【００７８】
携帯端末３がモザイク画像生成装置２から取得するモザイク画像データは、モザイク画像を構成する全ての素材画像を鮮明に確認できる程度に解像度の高いものでもよく、利用者自身が写った素材画像及びその周辺の複数の素材画像の領域のみ解像度が高く、その他の領域は解像度が低くてもよい。一般に、利用者は、モザイク画像のうち、自身が写った素材画像及びその周辺領域を拡大して見ることを望む。そのため、携帯端末３がモザイク画像生成装置２から取得するモザイク画像データを、利用者自身が写った素材画像及びその周辺領域のみ解像度を高くしたモザイク画像データとすることで、データサイズを抑えつつ、利用者自身が写った素材画像は拡大して鮮明に表示することができる。
【００７９】
上記実施形態では、携帯端末３から印画物作製装置１へモザイク画像データを送信し、印画物作製装置１がモザイク画像をプリント出力する例について説明したが、印画物作製装置１がモザイク画像生成装置２からモザイク画像データを取得して、プリント出力してもよい。これにより、モザイク画像を構成する全ての素材画像を鮮明に確認できる程度に解像度が高く、データサイズの大きいモザイク画像データを、モザイク画像生成装置２から携帯端末３へ送信したり、携帯端末３から印画物作製装置１へ送信したりする手間やコストを省くことができる。
【００８０】
モザイク画像をプリント出力するのは、印画物作製装置１に限定されず、撮影機能を持たない画像プリント装置でもよい。画像プリント装置が、携帯端末３又はモザイク画像生成装置２からモザイク画像データを受信し、プリント出力する。
【００８１】
上記実施形態では、印画物１０に、モザイク画像提供サーバのアドレス情報を示す二次元コードをプリントする例について説明したが、アドレス情報を合成画像に電子透かしとして埋め込んでもよい。携帯端末３に内蔵されているデジタルカメラで印画物１０を撮影することで、携帯端末３は印刷物に埋め込まれたコードを読み取り、モザイク画像提供サーバにアクセスして、モザイク画像を閲覧することができる。
【００８２】
上記実施形態において、印画物作製装置１は、利用者に対し、他の利用者がモザイク画像を閲覧する際に、自身の撮影画像が鮮明に表示されることについての許諾を求めるようにしてもよい。許諾が得られない場合、モザイク画像生成装置２は、この利用者を撮影した素材画像について、利用者自身がモザイク画像を拡大表示する際は鮮明に表示されるようにし、他の利用者がモザイク画像を拡大表示する際は鮮明に表示されないよう解像度を落としたり、モザイク処理を施したりする。
【００８３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８４】
１  印画物作製装置
２  モザイク画像生成装置
３  携帯端末
【図１】
2016052036.tif 000003
【図２】
2016052036.tif 000004
【図３】
2016052036.tif 000005
【図４】
2016052036.tif 000006
【図５】
2016052036.tif 000007
【図６】
2016052036.tif 000008
【図７】
2016052036.tif 000009